(57)【要約】【課題】フレキシブル磁気ディスク上に塵埃が付着するのを防止する。【解決手段】サーボライタ２は、スピンドルモータ４、磁気ヘッド５が先端部に取り付けられたサスペンションアーム６、制御部７、ディスク保持ケース８、ディスクカバー９を備える。サスペンションアーム６及びディスク保持ケース８を４個設ける。ディスク保持ケース８は、フレキシブル磁気ディスク３を保持する保持位置と退避位置との間で移動する。ディスク保持ケース８に、切欠き８ｂを形成する。ディスクカバー９は、覆い位置と開放位置との間で移動する。ディスクカバー９は、覆い位置まで移動したときに、切欠き８ｂを覆うとともに、４本のサスペンションアーム６及びロードモータ１９を覆う。制御部７は、ディスク保持ケース８を退避位置から保持位置まで移動させた後、ディスクカバー９を開放位置から覆い位置まで移動させる。【選択図】図５
2007133976.tif 000002
【特許請求の範囲】
【請求項１】
センターコアが固着された複数のフレキシブル磁気ディスクが重ねられて載せられ、前記複数のフレキシブル磁気ディスクを回転させるスピンドルモータと、
前記スピンドルモータにより回転された前記複数のフレキシブル磁気ディスクにサーボ信号を同時に記録する移動自在な複数の磁気ヘッドと、
前記フレキシブル磁気ディスクの上下両面を保持し、前記センターコアの回転及び前記磁気ヘッドの移動を可能にするための切欠きが形成された複数のディスク保持ケースと、を有するサーボライタであって、
前記切欠きを覆うカバーを備えたことを特徴とするサーボライタ。
【請求項２】
前記カバーを、前記切欠きを覆う覆い位置とこの覆い位置から退避した開放位置との間で移動させる移動手段を備えたことを特徴とする請求項１記載のサーボライタ。
【請求項３】
前記カバーは、前記覆い位置に移動したときに、前記ディスク保持ケースから露呈する前記フレキシブル磁気ディスクと、前記磁気ヘッドと、を覆うことを特徴とする請求項１または２記載のサーボライタ。
【請求項４】
センターコアが固着された複数のフレキシブル磁気ディスクを重ねて回転させ、
回転された前記複数のフレキシブル磁気ディスクに、移動自在な複数の磁気ヘッドでサーボ信号を同時に記録するサーボライト方法であって、
前記センターコアの回転及び前記磁気ヘッドの移動を可能にするための切欠きが形成された複数のディスク保持ケースにより、前記複数のフレキシブル磁気ディスクの上下両面を保持し、
前記切欠きを覆った状態で、前記複数のフレキシブル磁気ディスクにサーボ信号を同時に記録することを特徴とするサーボライト方法。
【請求項５】
請求項１ないし３いずれか１つ記載のサーボライタでサーボ信号を記録したことを特徴とするフレキシブル磁気ディスク。
【発明の詳細な説明】
【技術分野】
【０００１】
本発明は、複数のフレキシブル磁気ディスクにサーボ信号を同時に記録するサーボライタ及び方法、並びにフレキシブル磁気ディスクに関するものである。
【背景技術】
【０００２】
ディスクドライブ装置に装填されるフレキシブル磁気ディスクには、ディスクドライブ装置の記録／再生ヘッドの位置を制御するためのサーボ信号が記録されている（例えば、特許文献１参照）。このサーボ信号は、サーボライタで記録される。サーボライタは、スピンドルモータと書込みヘッド（本件の磁気ヘッド）とを備え、スピンドルモータでフレキシブル磁気ディスクを回転させ、回転させた状態のフレキシブル磁気ディスクに書込みヘッドによりサーボ信号を記録する。
【０００３】
近年では、フレキシブル磁気ディスクの普及が高まり、その需要が増加しており、生産効率の向上及び低価格化を図るために、短時間でより多くのフレキシブル磁気ディスクにサーボ信号を記録することが求められている。サーボライタを多数設置した場合には、短時間で多くのフレキシブル磁気ディスクにサーボ信号を記録することができるが、サーボライタの購入費用等により、フレキシブル磁気ディスク自体のコストアップになっていた。そこで、センターコアが固着されたフレキシブル磁気ディスクを複数重ねて、１機のサーボライタで、複数のフレキシブル磁気ディスクに同時にサーボ信号を記録することが考えられている。このようなサーボライタでは、フレキシブル磁気ディスクを保持する保持ケースを複数（フレキシブル磁気ディスクの枚数分）設けている。
【０００４】
保持ケースは、フレキシブル磁気ディスクの上下両面を保持する保持位置とこの保持位置から退避した退避位置との間で移動自在に設けられ、退避位置から前記保持位置まで移動するときにセンターコアに接触しないようにするコア用切欠き、磁気ヘッドの移動軌跡の範囲よりも若干大きい範囲のヘッド用切欠きが形成されている。これにより、保持ケースの移動、及び磁気ヘッドの移動を可能にしている。
【特許文献１】特開平１１−６６７７７号公報
【発明の開示】
【発明が解決しようとする課題】
【０００５】
しかしながら、上記したようなサーボライタでは、稼働中に、保持ケースに形成されたコア用切欠き及びヘッド用切欠きから塵埃が保持ケース内部に入り込み、フレキシブル磁気ディスク上に塵埃が付着してしまうという問題があった。フレキシブル磁気ディスク上に塵埃が付着した場合には、塵埃が付着した部分にサーボライトすることが出来ない、さらには、磁気ヘッドが塵埃に接触して破損してしまうという問題があった。
【０００６】
本発明は、上記課題を解決するためになされたものであり、フレキシブル磁気ディスク上に塵埃が付着するのを防止することができるサーボライタ及び方法、並びにフレキシブル磁気ディスクを提供することを目的とする。
【課題を解決するための手段】
【０００７】
上記目的を達成するために、本発明のサーボライタは、センターコアが固着された複数のフレキシブル磁気ディスクが重ねられて載せられ、前記複数のフレキシブル磁気ディスクを回転させるスピンドルモータと；前記スピンドルモータにより回転された前記複数のフレキシブル磁気ディスクにサーボ信号を同時に記録する移動自在な複数の磁気ヘッドと；前記フレキシブル磁気ディスクの上下両面を保持し、前記センターコアの回転及び前記磁気ヘッドの移動を可能にするための切欠きが形成された複数のディスク保持ケースと；を有するサーボライタであって、前記切欠きを覆うカバーを備えたことを特徴とする。
【０００８】
また、前記カバーを、前記切欠きを覆う覆い位置とこの覆い位置から退避した開放位置との間で移動させる移動手段を備えることが好ましい。さらに、前記カバーは、前記覆い位置に移動したときに、前記ディスク保持ケースから露呈する前記フレキシブル磁気ディスクと、前記磁気ヘッドと、を覆うことが好ましい。
【０００９】
また、本発明のサーボライト方法は、センターコアが固着された複数のフレキシブル磁気ディスクを重ねて回転させ、回転された前記複数のフレキシブル磁気ディスクに、移動自在な複数の磁気ヘッドでサーボ信号を同時に記録するサーボライト方法であって、前記センターコアの回転及び前記磁気ヘッドの移動を可能にするための切欠きが形成された複数のディスク保持ケースにより、前記複数のフレキシブル磁気ディスクの上下両面を保持し、前記切欠きを覆った状態で、前記複数のフレキシブル磁気ディスクにサーボ信号を同時に記録することを特徴とする。
【００１０】
さらに、本発明のフレキシブル磁気ディスクは、上記したサーボライタでサーボ信号を記録したことを特徴とする。
【発明の効果】
【００１１】
本発明のサーボライタによれば、センターコアが固着された複数のフレキシブル磁気ディスクが重ねられて載せられ、複数のフレキシブル磁気ディスクを回転させるスピンドルモータと；スピンドルモータにより回転された複数のフレキシブル磁気ディスクにサーボ信号を同時に記録する移動自在な複数の磁気ヘッドと；フレキシブル磁気ディスクの上下両面を保持し、センターコアの回転及び磁気ヘッドの移動を可能にするための切欠きが形成された複数のディスク保持ケースと；切欠きを覆うカバーと、を備えたから、ディスク保持ケース内部に外部から塵埃が入り込み、フレキシブル磁気ディスクに塵埃が付着することがない。これにより、フレキシブル磁気ディスクに塵埃が付着することに起因するサーボライト不良及び磁気ヘッドの破損を確実に防止することができる。
【００１２】
また、カバーを、切欠きを覆う覆い位置とこの覆い位置から退避した開放位置との間で移動させる移動手段を備えたから、フレキシブル磁気ディスクをスピンドルモータに載せるまたは取り外すときにはカバーを開放位置に位置させ、サーボライト中には覆い位置に位置させることができる。
【００１３】
さらに、本発明のサーボライト方法によれば、センターコアが固着された複数のフレキシブル磁気ディスクを重ねて回転させ、回転された複数のフレキシブル磁気ディスクに、移動自在な複数の磁気ヘッドでサーボ信号を同時に記録するサーボライト方法であって、センターコアの回転及び磁気ヘッドの移動を可能にするための切欠きが形成された複数のディスク保持ケースにより、複数のフレキシブル磁気ディスクの上下両面を保持し、切欠きを覆った状態で、複数のフレキシブル磁気ディスクにサーボ信号を同時に記録するから、ディスク保持ケース内部に外部から塵埃が入り込み、フレキシブル磁気ディスクに塵埃が付着することがない。これにより、フレキシブル磁気ディスクに塵埃が付着することに起因するサーボライト不良及び磁気ヘッドの破損を確実に防止することができる。
【００１４】
また、本発明のフレキシブル磁気ディスクによれば、上記したサーボライタでサーボ信号を記録したから、フレキシブル磁気ディスクに塵埃が付着することに起因するサーボライト不良及び磁気ヘッドの破損を確実に防止することにより、１枚当たりのコストを下げることができる。
【発明を実施するための最良の形態】
【００１５】
図１、図２及び図３に示すように、本発明を実施したサーボライタ２は、４枚のフレキシブル磁気ディスク３に同時にサーボ信号を記録するものであり、スピンドルモータ４、磁気ヘッド５が先端部に取り付けられたサスペンションアーム６、制御部７、ディスク保持ケース８、ディスクカバー（カバー）９を備える。ディスク保持ケース８は、４個設けられており、これら４個のディスク保持ケース８は、ユニット化され、ケース移動機構１０により、フレキシブル磁気ディスク３を保持する保持位置（図４参照）とこの保持位置から退避した退避位置（図１及び図３参照）との間で移動可能に設けられている。ケース移動機構１０は、制御部７に接続されており、制御部７により駆動が制御される。本実施形態では、下から順に、第１のディスク保持ケース８、第２のディスク保持ケース８、第３のディスク保持ケース８、第４のディスク保持ケース８と称する。
【００１６】
サーボライタ２は、３個のスペーサ１１を備える。スピンドルモータ４のスピンドルヘッド３２に係合されたフレキシブル磁気ディスク３の上には、スペーサ１１が載せられる。そして、スペーサ１１の上には、フレキシブル磁気ディスク３、スペーサ１１、フレキシブル磁気ディスク３、スペーサ１１、フレキシブル磁気ディスク３の順で載せられる。本実施形態では、下から順に、第１のスペーサ１１、第２のスペーサ１１、第３のスペーサ１１と称するとともに、下から順に、第１のフレキシブル磁気ディスク３、第２のフレキシブル磁気ディスク３、第３のフレキシブル磁気ディスク３、第４のフレキシブル磁気ディスク３と称する。なお、図１では、簡略的に、第１のフレキシブル磁気ディスク３及び第１のスペーサ１１のみを図示している。
【００１７】
フレキシブル磁気ディスク３は、両面に磁性層がコーティングされており、中心部にディスク孔３ａが形成されている。フレキシブル磁気ディスク３の下面の中心部には、金属製のセンターコア１５が両面テープ等により取り付けられている。センターコア１５は、円盤状に形成されており、中心部には挿通孔１５ａが形成され、下面にはスピンドルヘッド３２またスペーサ１１と係合するためのリング状の係合凸部が形成されている。
【００１８】
磁気ヘッド５は、フレキシブル磁気ディスク３にサーボ信号を記録するためのものであり、サスペンションアーム６の先端部に取り付けられている。磁気ヘッド５は、ヘッド本体を備え、ヘッド本体は、フレキシブル磁気ディスク３に記録するデータに対応する電気信号を磁界に変換する記録素子から構成されている。磁気ヘッド５は、接続ワイヤ（図示せず）により制御部７に接続されており、制御部７により駆動が制御され、フレキシブル磁気ディスク３にサーボ信号の記録を行う。
【００１９】
サスペンションアーム６は、弾性変形可能な薄板金属製の上ロードビーム１７及び下ロードビーム１８を備える。上ロードビーム１７及び下ロードビーム１８は、ＶＣＭ（ヴォイスコイルモータ）から構成されるロードモータ１９のモータシャフト１９ａに回転自在に取り付けられている。ロードモータ１９の駆動により上ロードビーム１７及び下ロードビーム１８は回転する。上ロードビーム１７の下面先端部及び下ロードビーム１８の上面先端部には、磁気ヘッド５が取り付けられている。サスペンションアーム６は、回転させると、上ロードビーム１７と下ロードビーム１８との間にフレキシブル磁気ディスク３が入り込む機構により、フレキシブル磁気ディスク３を挟み込む状態となるように配設されている。これにより、フレキシブル磁気ディスク３の上下両面にサーボ信号を記録することができる。ロードモータ１９は、制御部７に接続されており、制御部７により駆動が制御される。ロードモータ１９は、スピンドルモータ４が固定されるベース板（図示せず）に固定されている。
【００２０】
サスペンションアーム６は、４個設けられており、これにより、４枚のフレキシブル磁気ディスク３の上下両面に同時にサーボ信号を記録することができる。なお、磁気ヘッド５は、弾性変形する上ロードビーム１７及び下ロードビーム１８により、常に一定の力でフレキシブル磁気ディスク３に押し付けられる方向に付勢される。
【００２１】
ディスク保持ケース８は、フレキシブル磁気ディスク３の上下両面を保持するためのものであり、フレキシブル磁気ディスク３が挿入される凹状のディスク挿入部８ａが形成されている。このディスク挿入部８ａは、フレキシブル磁気ディスク３が挿入されるときの入口がフレキシブル磁気ディスク３のガイドとしてテーパ状に形成されている。
【００２２】
ディスク挿入部８ａの上下両面には、フレキシブル磁気ディスク３の表面塵埃を除去するとともに傷つくのを防止するためのライナー（図示せず）が貼り付けられている。ディスク保持ケース８には、サスペンションアーム６の移動を可能にするとともに、センターコア１５及びスピンドルヘッド３２の回転を可能にするための切欠き８ｂが形成されている。
【００２３】
ディスク保持ケース８は、上下方向の厚みが、サスペンションアーム６の上下方向の厚みよりも厚いサイズで形成されており、サスペンションアーム６の上面が、ディスク保持ケース８の上面から突出せず、サスペンションアーム６の下面が、ディスク保持ケース８の下面から突出しないような位置に配設されている。
【００２４】
なお、ディスク保持ケース８を、退避位置から保持位置まで移動させるときには、フレキシブル磁気ディスク３を停止した状態、または、フレキシブル磁気ディスク３とディスク保持ケース８とが接触してもディスクの傷付きが起こりにくい低速（例えば、３００ｒｐｍ以下）で回転させた状態で移動させるように設定されている。本実施形態では、フレキシブル磁気ディスク３を２００ｒｐｍで回転させた状態で、ディスク保持ケース８を、退避位置から保持位置まで移動させるようにされている。
【００２５】
ディスクカバー９は、ディスク保持ケース８が保持位置に位置するときに、フレキシブル磁気ディスク３に外部から塵埃が付着するのを防止するためのものであり、カバー移動機構（移動手段）２５により、切欠き８ｂを覆う覆い位置（図２及び図５参照）とこの覆い位置から退避した開放位置（図１、図３及び図４参照）との間で移動可能に設けられている。カバー移動機構２５は、制御部７に接続されており、制御部７により駆動が制御される。制御部７は、ディスク保持ケース８が保持位置まで移動したことに応答して、カバー移動機構２５の駆動を制御し、ディスクカバー９を開放位置から覆い位置まで移動する。
【００２６】
ディスクカバー９は、覆い位置まで移動したときに、４個のディスク保持ケース８の各切欠き８ｂを覆うとともに、４本のサスペンションアーム６及びロードモータ１９を覆うように箱状に形成されている。ディスクカバー９の上面には、覆い位置まで移動したときに、切欠き８ｂに挿入される挿入部９ａが形成されている。挿入部９ａは、切欠き８ｂと略一致する形状で形成されている。ディスクカバー９が覆い位置まで移動したときには、挿入部９ａの上面が、第４のディスク保持ケース８の上面に略一致するようにされている。これにより、ディスクカバー９が覆い位置まで移動すると、第４のディスク保持ケース８の切欠き８ｂが、ディスクカバー９により覆われた状態となる。挿入部９ａは、ディスクカバー９が覆い位置まで移動したときに、４個のサスペンションアーム６のうちの最上部のサスペンションアーム６の上面に当接しないような厚みで形成されている。これにより、サスペンションアーム６の駆動（回転）を妨げることなく、第４のディスク保持ケース８の切欠き８ｂを覆うことができる。
【００２７】
ディスクカバー９は、図１及び図２中Ａ方向においてディスク保持ケース８と略同一の幅で形成されており、第１カバー面９ｂ及び第２カバー面９ｃは、高さ方向において４個のディスク保持ケース８の高さと略同一の高さで形成されている。第１カバー面９ｂ及び第２カバー面９ｃは、ディスクカバー９が覆い位置まで移動したときには、各ディスク保持ケース８の図１及び図２における後面に当接するように形成されている。これにより、ディスクカバー９が覆い位置まで移動すると、各ディスク保持ケース８のフレキシブル磁気ディスク３が挿入されるときの入口が、ディスクカバー９により覆われた状態となる。
【００２８】
図１及び図２に示すように、ディスクカバー９には、第１のディスク保持ケース８の切欠き８ｂを覆うための覆いリブ９ｄが形成されている。覆いリブ９ｄは、ディスクカバー９が覆い位置まで移動したときには、覆いリブ９ｄの上面が、第１のディスク保持ケース８の下面に当接するように形成されている。これにより、ディスクカバー９が覆い位置まで移動すると、第１のディスク保持ケース８の切欠き８ｂが、ディスクカバー９により覆われた状態となり（図２及び図５参照）、第１〜第４のディスク保持ケース８の各切欠き８ｂが、ディスクカバーにより覆われた状態となる。
【００２９】
覆いリブ９ｄには、ディスクカバー９が開放位置から覆い位置まで移動するときに、ロードモータ１９に接触しないようにするためのモータ切欠き９ｅが形成されている。なお、ディスクカバー９は、切欠き８ｂを覆うことができればよく、その形状は適宜変更可能である。
【００３０】
図１及び図３に示すように、スピンドルモータ４は、フレキシブル磁気ディスク３を回転させるためのものであり、モータ本体３１とスピンドルヘッド３２とモータシャフト３３とを備える。モータ本体３１は、制御部７に接続されており、制御部７により駆動が制御される。モータ本体３１が駆動すると、スピンドルヘッド３２及びモータシャフト３３が回転する。スピンドルモータ４は、ベース板（図示せず）に固定されている。
【００３１】
スピンドルヘッド３２は、円柱状に形成されており、上面の中心部にはモータシャフト３３が取り付けられている。スピンドルヘッド３２の上面には、第１のフレキシブル磁気ディスク３のセンターコア１５の係合凸部が挿入される係合凹部３２ａが形成されている。スピンドルヘッド３２の内部には、磁石が１２０°ピッチで３個埋め込まれており、係合凹部３２ａにセンターコア１５の係合凸部を挿入してセンターコア１５とスピンドルヘッド３２とを係合させ位置決めすると、磁石の磁気により金属製のセンターコア１５が保持される。なお、スピンドルヘッド３２に埋め込む磁石の個数は適宜変更可能であり、リング状に連続して構成した磁石を用いてもよい。
【００３２】
スピンドルヘッド３２に係合された第１のフレキシブル磁気ディスク３の上には、第１のスペーサ１１が載せられる。そして、第１のスペーサ１１の上には、第２のフレキシブル磁気ディスク３、第２のスペーサ１１、第３のフレキシブル磁気ディスク３、第３のスペーサ１１、第４のフレキシブル磁気ディスク３の順で載せられる。モータシャフト３３は、第４のフレキシブル磁気ディスク３の上面から突出し、ディスクカバー９に当接しない長さで形成されている。
【００３３】
スペーサ１１は、側面の中心部に溝が形成された略円盤状に形成されている。スペーサ１１の中心部には、モータシャフト３３を挿通させるとともにモータシャフト３３と係合する挿通孔１１ａが形成されている。
【００３４】
スペーサ１１の上面には、フレキシブル磁気ディスク３のセンターコア１５の係合凸部が挿入される係合凹部１１ｂが形成されている。
【００３５】
スペーサ１１には、その上面及び下面それぞれに磁石が１２０°ピッチで３個ずつ埋め込まれている。この磁石の磁気により、第１のフレキシブル磁気ディスク３のセンターコア１５と第１のスペーサ１１とが係止される。さらに、第１のスペーサ１１の係合凹部１１ｂに、第２のフレキシブル磁気ディスク３のセンターコア１５の係合凸部を挿入してセンターコア１５と第１のスペーサ１１とを係合させて位置決めすると、磁石の磁気により、第２のフレキシブル磁気ディスク３のセンターコア１５が第１のスペーサ１１に保持される。なお、スペーサ１１に埋め込む磁石の個数は適宜変更可能であり、リング状に連続して構成した磁石を用いてもよい。
【００３６】
第１のスペーサ１１と同様にして、第２のフレキシブル磁気ディスク３のセンターコア１５と第２のスペーサ１１とが係止されるとともに、第３のフレキシブル磁気ディスク３のセンターコア１５が第２のスペーサ１１に保持される。さらには、第３のフレキシブル磁気ディスク３のセンターコア１５と第３のスペーサ１１とが係止されるとともに、第４のフレキシブル磁気ディスク３のセンターコア１５が第３のスペーサ１１に保持される。そして、制御部７は、ディスク保持ケース８を退避位置から保持位置まで移動させた後、ディスクカバー９を開放位置から覆い位置まで移動させる。この状態で、制御部７は、スピンドルモータ４、磁気ヘッド５及びロードモータ１９の駆動を制御して、４枚のフレキシブル磁気ディスク３に同時にサーボ信号を記録する。
【００３７】
上記のように構成されたサーボライタ２の作用について説明する。本発明を実施したサーボライタ２では、４枚のフレキシブル磁気ディスク３に同時にサーボ信号を記録する。先ず、図３に示すように、スピンドルヘッド３２の上に、第１のフレキシブル磁気ディスク、第１のスペーサ１１、第２のフレキシブル磁気ディスク３、第２のスペーサ１１、第３のフレキシブル磁気ディスク３、第３のスペーサ１１、第４のフレキシブル磁気ディスク３の順で載せる。次に、図４に示すように、制御部７は、ケース移動機構１０の駆動を制御して、ディスク保持ケース８を退避位置から保持位置まで移動する。そして、図２及び図５に示すように、ディスク保持ケース８が保持位置まで移動したことに応答して、制御部７は、カバー移動機構２５の駆動を制御して、ディスクカバー９を、開放位置から覆い位置まで移動する。この状態で、磁気ヘッド５により、４枚のフレキシブル磁気ディスク３に同時にサーボ信号を記録する。
【００３８】
磁気ヘッド５によるサーボ信号の記録（サーボライト）が終了すると、制御部７は、カバー移動機構２５の駆動を制御して、ディスクカバー９を、覆い位置から開放位置まで移動する。次に、ディスクカバー９が開放位置まで移動したことに応答して、制御部７は、ケース移動機構１０の駆動を制御して、ディスク保持ケース８を、保持位置から退避位置まで移動する。そして、スピンドルヘッド３２から第１〜第４のフレキシブル磁気ディスク３、第１〜第３のスペーサ１１を取り外す。
【００３９】
このように、サーボライト中には、ディスクカバー９により、４個のディスク保持ケース８の各切欠き８ｂを覆うから、ディスク保持ケース８内部に外部から塵埃が入り込み、フレキシブル磁気ディスク３に塵埃が付着することがない。これにより、フレキシブル磁気ディスク３に塵埃が付着することに起因するサーボライト不良及び磁気ヘッド５の破損を確実に防止することができる。
【００４０】
また、サーボライト中には、ディスクカバー９により、４本のサスペンションアーム６及びロードモータ１９を覆うから、サスペンションアーム６に取り付けられた磁気ヘッド５に塵埃が付着することがない。これにより、磁気ヘッド５に塵埃が付着することに起因するサーボライト不良及び磁気ヘッド５の破損を確実に防止することができる。
【００４１】
なお、上記実施形態では、４枚のフレキシブル磁気ディスク３に同時にサーボ信号を記録するサーボライタ２について説明したが、同時にサーボ信号を記録するフレキシブル磁気ディスク３の枚数は、適宜変更可能であり、これに応じて、磁気ヘッド５、サスペンションアーム６、ディスク保持ケース８及びスペーサ１１の個数、ディスクカバー９の形状も、適宜変更可能されるものである。
【００４２】
また、上記実施形態では、ディスク保持ケース８を、１個の部材で構成したが、これに限定されることなく、フレキシブル磁気ディスク３の上下両面を保持することができればよく、複数の部材から構成するようにしてもよい。
【００４３】
さらに、上記実施形態では、サーボライト中には、ディスクカバー９により、４個のディスク保持ケース８の各切欠き８ｂ、４本のサスペンションアーム６及びロードモータ１９を覆うようにしたが、サーボライト中に、ディスクカバー９により、スピンドルモータ４を覆うようにしてもよい。
【図面の簡単な説明】
【００４４】
【図１】本発明を実施したサーボライタを示す斜視図である。
【図２】ディスク保持ケースが保持位置に位置し、ディスクカバーが覆い位置に位置するときのサーボライタを示す斜視図である。
【図３】ディスク保持ケースが退避位置に位置し、ディスクカバーが開放位置に位置するときのサーボライタを示す側面断面図である。
【図４】ディスク保持ケースが保持位置に位置し、ディスクカバーが開放位置に位置するときのサーボライタを示す側面断面図である。
【図５】ディスク保持ケースが保持位置に位置し、ディスクカバーが覆い位置に位置するときのサーボライタを示す側面断面図である。
【符号の説明】
【００４５】
２  サーボライタ
３  フレキシブル磁気ディスク
４  スピンドルモータ
５  磁気ヘッド
６  サスペンションアーム
８  ディスク保持ケース
８ｂ  切欠き
９  ディスクカバー（カバー）
１１  スペーサ
１５  センターコア
１９  ロードモータ
２５  カバー移動機構（移動手段）
【図１】
2007133976.tif 000003
【図２】
2007133976.tif 000004
【図３】
2007133976.tif 000005
【図４】
2007133976.tif 000006
【図５】
2007133976.tif 000007